(57)【特許請求の範囲】
【請求項１】
電灯線を介して電灯線通信装置と通信を行う制御装置であって、
前記電灯線通信装置にステータス要求を送信する要求部と、
消費電力の情報を要求するステータス要求を受信した電灯線通信装置からの応答を受信する監視部とを備え、
前記監視部は、前記電灯線通信装置からステータスの応答があり、そのステータスが示す消費電力が所定値を超える場合に、出力手段を介して所定の通知を行い、
前記要求部は、ステータス要求を送信してから所定時間経過後、ステータスの応答がない場合に、ステータス要求の送信をリトライし、前記監視部は、ステータス要求の送信をリトライし所定時間経過後、ステータスの応答がない場合に、前記出力手段を介して所定の通知を行うことを特徴とする制御装置。
【請求項２】
前記要求部は、ステータス要求の送信を複数回、リトライすることを特徴とする請求項１に記載の制御装置。
【請求項３】
前記要求部は、前記複数のステータス要求の送信を定期的に、リトライすることを特徴とする請求項２に記載の制御装置。
【請求項４】
前記出力手段は、画像を表示する表示部であり、
前記監視部は、前記表示部を介して所定の画像を表示制御することを特徴とする請求項１ないし３いずれか１項に記載の制御装置。
【請求項５】
前記出力手段は、音声を出力する音声出力部であり、
前記監視部は、前記音声出力部を介して所定の音声を出力制御することを特徴とする請求項１ないし４いずれか１項に記載の制御装置。
【請求項６】
電灯線を介して電灯線通信装置と通信を行う制御方法であって、
前記電灯線通信装置にステータス要求を送信するステップと、
消費電力の情報を要求するステータス要求を受信した電灯線通信装置からの応答を受信するステップと、
前記電灯線通信装置からステータスの応答があり、そのステータスが示す消費電力が所定値を超える場合に、出力手段を介して所定の通知を行うステップと、
ステータス要求を送信してから所定時間経過後、ステータスの応答がない場合に、ステータス要求の送信をリトライするステップと、
ステータス要求の送信をリトライし所定時間経過後、ステータスの応答がない場合に、
前記出力手段を介して所定の通知を行うステップとを備えたことを特徴とする制御方法。
【請求項７】
電灯線通信制御システムであって、
電源供給の所定条件を示すイベントリストを電灯線を介して送信する制御装置と、
前記イベントリストが示す所定条件に基づいて電源供給を制御する電灯線通信装置とを備え、
前記制御装置は、
前記電灯線通信装置にステータス要求を送信する要求部と、
消費電力の情報を要求するステータス要求を受信した電灯線通信装置からの応答を受信する監視部とを備え、
前記監視部は、前記電灯線通信装置からステータスの応答があり、そのステータスが示す消費電力が所定値を超える場合に、出力手段を介して所定の通知を行い、
前記要求部は、ステータス要求を送信してから所定時間経過後、ステータスの応答がない場合に、ステータス要求の送信をリトライし、前記監視部は、ステータス要求の送信をリトライし所定時間経過後、ステータスの応答がない場合に、前記出力手段を介して所定の通知を行うことを特徴とする電灯線通信制御システム。
【発明の詳細な説明】
【０００１】
【発明の属する技術分野】
本発明は、電灯線を介して通信を行う複数の電灯線通信装置と、電灯線通信装置との間で通信を行うと共に電灯線通信装置を制御する制御装置とを有する電灯線通信制御システムに関するものである。
【０００２】
【従来の技術】
従来、電灯線通信を用いて消費電力を制御するシステムとしては、次のようなものが知られている。
【０００３】
図１１は、従来の電灯線通信制御システムを示す接続図である。
【０００４】
図１１において、１１１、１１２は電源の供給源である電灯線７を介する通信機能や、接続された機器（接続機器）の消費電力を測定する機能、接続機器への電源供給状態を制御する機能を持つ電灯線通信装置、２は電灯線通信装置１１１に接続され電源の供給を受けている照明装置、４は電灯線通信装置１１２に接続され電源の供給を受けているテレビジョン受像機、６は電源供給及びネットワーク端子となるコンセント、１１３は各電灯線通信装置１１１、１１２の制御を行うパーソナルコンピュータ等の制御装置である。
【０００５】
このように構成された電灯線通信制御システムについて、その動作を説明する。
【０００６】
電灯線通信装置１１１、１１２は、接続機器２、４の消費電力を制御装置１１３へ常時送信している。制御装置１１３は、電灯線通信装置１１１、１１２から送られてくる消費電力を監視し、例えば照明装置２の消費電力が異常に大きくなった場合、電灯線通信装置１１１へ接続機器（ここでは照明装置２）への電源供給を停止する要求を電灯線通信（電灯線７を介する通信）により行う。要求を受け取った電灯線通信装置１１１は照明装置２への電源供給を停止する。これにより、タコ足配線や接続機器の異常による火災の発生などを回避することができる。
【０００７】
【発明が解決しようとする課題】
しかしながら、上記従来の電灯線通信制御システムでは、各電灯線通信装置１１１、１１２を制御する制御装置１１３が常に動作している必要があり、制御装置１１３の故障によりシステムとして動作不可能となるという問題点を有していた。また、電灯線通信は一般的に信頼性が低く、また、電灯線通信装置が増加すると電灯線ネットワークのトラフィックも増大することから、電力の過剰使用時に電源供給を早急に停止させるようなことは困難である。電灯線ネットワークのトラフィックが増大した場合に制御装置側から電源供給の制御要求を行うと、実際に制御が行われるまでに遅延が生じる。
【０００８】
この電灯線通信制御システムでは、各電灯線通信装置が個々に電源供給の是非の判定を行うことができ、また電灯線通信装置およびその接続器の故障を検出することができることが要求されている。
【０００９】
本発明は、この要求を満たすため、各電灯線通信装置が個々に電源供給の是非の判定を行うことができ、また電灯線通信装置およびその接続器の故障を検出することができる制御装置、制御方法、および電灯線通信制御システムを提供することを目的とする。
【００１０】
【課題を解決するための手段】
この課題を解決するために本発明の制御装置は、電灯線を介して電灯線通信装置と通信を行う制御装置であって、電灯線通信装置にステータス要求を送信する要求部と、消費電力の情報を要求するステータス要求を受信した電灯線通信装置からの応答を受信する監視部とを備え、監視部は、電灯線通信装置からステータスの応答があり、そのステータスが示す消費電力が所定値を超える場合に、出力手段を介して所定の通知を行い、要求部は、ステータス要求を送信してから所定時間経過後、ステータスの応答がない場合に、ステータス要求の送信をリトライし、監視部は、ステータス要求の送信をリトライし所定時間経過後、ステータスの応答がない場合に、出力手段を介して所定の通知を行う構成を備えている。
【００１１】
これにより、各電灯線通信装置が個々に電源供給の是非の判定を行うことができる制御装置、制御方法、および電灯線通信制御システムが得られる。
【００１２】
【発明の実施の形態】
本発明の請求項１に記載の制御装置は、電灯線を介して電灯線通信装置と通信を行う制御装置であって、電灯線通信装置にステータス要求を送信する要求部と、消費電力の情報を要求するステータス要求を受信した電灯線通信装置からの応答を受信する監視部とを備え、監視部は、電灯線通信装置からステータスの応答があり、そのステータスが示す消費電力が所定値を超える場合に、出力手段を介して所定の通知を行い、要求部は、ステータス要求を送信してから所定時間経過後、ステータスの応答がない場合に、ステータス要求の送信をリトライし、監視部は、ステータス要求の送信をリトライし所定時間経過後、ステータスの応答がない場合に、出力手段を介して所定の通知を行うこととしたものである。
【００１３】
この構成により、消費電力が所定値を超えた場合に通知を行うことにより、電力の過剰使用による故障検出を行うとともに、電灯線通信装置の状態が不明な場合に通知を行うことにより、応答できない電灯線通信装置は故障しているものと判定して故障検出を行うことができるという作用を有する。
【００１８】
以下、本発明の実施の形態について、図１〜図１０を用いて説明する。
【００１９】
（実施の形態１）
図１は、本発明の実施の形態１による電灯線通信制御システムを示す接続図である。図１に示す電灯線通信制御システムと従来の技術の図１１に示す電灯線通信制御システムとは同様の構成であるが、本実施の形態が従来の技術と異なるところは、電灯線通信装置の機能、動作である。
【００２０】
図１において、１、３は電源の供給源である電灯線７を介する通信機能や、接続された機器の消費電力を測定する機能、接続機器への電源供給状態を制御する機能を持つ電灯線通信装置、２は電灯線通信装置１に接続され電源の供給を受けている照明装置、４は電灯線通信装置３に接続され電源の供給を受けているテレビジョン受像機、５は各電灯線通信装置１、３の制御を行うパーソナルコンピュータ等の制御装置、６は電源供給およびネットワーク端子となるコンセントである。
【００２１】
図２は、図１の電灯線通信装置１、３を示すブロック図である。
【００２２】
図２において、２１は電灯線７を介してデータ通信を行うための通信部、２２は通信部２１により電灯線７から受信された受信データを格納する受信データ格納部、２３は通信部２１により電灯線７へ送信される送信データを格納する送信データ格納部、２４は受信データ格納部２２から取り出した受信データに基づいてイベントリストを抽出するための解析を行う解析部、２５は接続された機器（接続機器）への電源供給を制御する制御部、２６は消費電力の監視を行う監視部、２７は解析部２４により抽出されたイベントリストを格納するイベントリスト格納部、２８は接続機器の消費電力を測定する電力測定部である。
【００２３】
図３は、図１の電灯線通信装置１、３を具体的に示すハードウェア構成図である。
【００２４】
図３において、３１はプログラムの実行を行うＣＰＵ（中央演算処理装置）、３２は実行されるプログラムが格納されるＲＯＭ（リードオンリーメモリ）、３３は接続機器への電源供給の制御（ＯＮ／ＯＦＦ）を行う電源制御装置、３４はプログラム実行において各種のデータが格納されるＲＡＭ（ランダムアクセスメモリ）、３５は電灯線７を介したデータ通信を行うための変復調装置、３６は接続機器の消費電力を測定する消費電力測定装置である。
【００２５】
ここで、図２と図３の各構成の対応を述べる。
【００２６】
図２の通信部２１、解析部２４、制御部２５、監視部２６、電力測定部２８は、図３のＣＰＵ３１がＲＯＭ３２格納のプログラムを実行することにより実現される。また、図２の受信データ格納部２２、送信データ格納部２３、イベントリスト格納部２７は図３のＲＡＭ３４により実現される。
【００２７】
このように構成された電灯線通信制御システムの電灯線通信装置１、３について、その動作を説明する。
【００２８】
電灯線通信装置１、３のイベントリスト格納部２７には、あらかじめ次のような初期設定が行われている。
【００２９】
｛消費電力≧２０００Ｗ（ワット），電源供給ＯＦＦ｝
ここでイベントリストとは｛イベント，アクション｝という内容を定義したものであり、ある「イベント」が発生した場合に「アクション」を行うということを示す。例えば上記イベントリストの場合、電灯線通信装置１、３に接続された機器が２０００Ｗ以上の電力消費を行う場合に、その機器への電源供給を停止するということを意味する。イベントリストは電灯線通信装置１、３の動作パラメータ的なものとなる。
【００３０】
ここで、電灯線通信装置１における動作例を説明する。まず、電力測定部２８は、消費電力測定装置３６から得られる照明装置２の消費電力を数値化後、監視部２６へ渡す。これを受け取った監視部２６は、イベントリスト格納部２７からイベントリストを取得し、定義されたイベント（消費電力≧２０００Ｗ）が発生しているか否かをチェックする。ここで、例えば照明装置２の消費電力が２００Ｗであった場合はイベントは発生していないので、何も行わない。しかし、照明装置２が故障等の異常な状態にあり、消費電力が２０００Ｗであった場合、定義されたアクション（電源供給ＯＦＦ）を行うために、制御部２５へ電源供給を停止するよう依頼する。制御部２５は、電源制御装置３３により照明装置２への電源供給を停止する（電源供給ＯＦＦ）。上記動作は常に繰り返される。
【００３１】
ここで、イベントリストの初期設定は｛消費電力≧２０００Ｗ（ワット），電源供給ＯＦＦ｝であるとしたが、これは各接続機器によって変えても良い。例えば、照明装置２の電灯線通信装置１については、｛消費電力≧２００Ｗ（ワット），電源供給ＯＦＦ｝とすることも考えられる。
【００３２】
また、電灯線７を介した電灯線通信によって外部からのイベントリストの設定も可能である。通信部２１は、変復調装置３５により電灯線７を介して送信されてくるデータを受信する。受信されたデータは受信データ格納部２２へ格納される。この受信データは解析部２４によって解析され、イベントリストであればイベントリスト格納部２７へと格納される。解析部２４は、イベントリストの送信元に対し、イベントリストを設定したことを示す応答フレームを作成し、送信データ格納部２３に格納する。格納された送信データは通信部２１によって電灯線７上へと送信される。
【００３３】
以上のように本実施の形態によれば、電灯線通信装置１、３は、電灯線７を介してデータ通信を行うための通信部２１と、通信部２１により電灯線７から受信された受信データを格納する受信データ格納部２２と、受信データ格納部２２から取り出した受信データに基づいてイベントリストを抽出するための解析を行う解析部２４と、抽出されたイベントリストを格納するイベントリスト格納部２７と、電灯線通信装置１、３に接続された接続機器２、４の消費電力を測定する電力測定部２８と、測定した消費電力の監視を行う監視部２６と、監視部２６における監視結果とイベントリストとに基づいて接続機器２、４への電源供給を制御する制御部２５とを有することにより、制御部２５は監視部２６における監視結果に基づいて接続機器２、４への電源供給を制御することができるので、電灯線通信装置１、３の接続機器２、４への電源供給の是非を電灯線通信装置自身で判定することができ、制御装置５の状態や電灯線ネットワークの状態に関係なく即時に電源供給の制御を行うことができる。
【００３４】
（実施の形態２）
図１は、本発明の実施の形態２による電灯線通信制御システムを示す接続図である。図１に示す電灯線通信制御システムと従来の技術の図１１に示す電灯線通信制御システムとは同様の構成であるが、本実施の形態が従来の技術と異なるところは、制御装置の機能、動作である。
【００３５】
図４は、図１の制御装置５を示すブロック図である。
【００３６】
図４において、４１は電灯線７を介してデータ通信を行うための通信部、４２は通信部４１により電灯線７から受信された受信データを格納する受信データ格納部、４３は通信部４１により電灯線へ送信される送信データを格納する送信データ格納部、４４は受信データ格納部４２から取り出した受信データに基づいてイベントリストと電灯線通信装置１、３の状態とを抽出するための解析を行う解析部、４５はイベントリストを元に送信可能なデータ形式に変換し送信データ格納部４３へ格納する作成部、４６は解析部４４において電灯線通信装置１、３からのステータスを受信したことが判明した際にその内容をユーザに通知するための表示部、４７は各電灯線通信装置１、３に設定するイベントリスト（定義は後述する）を入力するための入力部、４８は入力部４７によって入力されたイベントリストを格納しておくイベントリスト格納部である。
【００３７】
図５は、図１の制御装置５を具体的に示すハードウェア構成図である。
【００３８】
図５において、５１はプログラムの実行を行うＣＰＵ（中央演算処理装置）、５２は実行されるプログラムが格納されるＲＯＭ（リードオンリーメモリ）、５３は電灯線通信装置１、３のステータスを表示する表示装置、５４はプログラム実行において各種のデータが格納されるＲＡＭ（ランダムアクセスメモリ）、５５は電灯線７を介するデータ通信を行うための変復調装置、５６はユーザがイベントリストを入力するための入力装置である。
【００３９】
ここで、図４と図５の各構成の対応を述べる。
【００４０】
図４の通信部４１、解析部４４、作成部４５、入力部４７は、図５のＣＰＵ５１がＲＯＭ５２格納のプログラムを実行することにより実現される。また、図４の受信データ格納部４２、送信データ格納部４３、イベントリスト格納部４８は図５のＲＡＭ３４により実現される。また、図４の表示部４６は図５の表示装置５３により実現される。
【００４１】
このように構成された電灯線通信制御システムの制御装置５について、その動作を説明する。
【００４２】
入力部４７は、入力装置５６を使用して、ユーザによって入力されるイベントリストをイベントリスト格納部４８へ格納する。このイベントリストは各電灯線通信装置毎に入力される。イベントリストは作成部４５によって送信可能なデータ形式に変換され、送信データ格納部４３へ格納される。通信部４１は、変復調装置５５を使用して、電灯線７上へ送信データを送信する。
【００４３】
図６はイベントリストの設定例を示すデータ図である。
【００４４】
図６では、電灯線通信装置１に対するイベントリスト３つと電灯線通信装置３に対するイベントリストが１つ設定されており、故障検出で利用されるアクション（ステータスの送信）が含まれている。このイベントリスト設定例の場合、電灯線通信装置１に対して３つのイベントリストが送信され、電灯線通信装置３に対して１つのイベントリストが送信される。
【００４５】
図７は、図６のイベントリストが設定された場合の電灯線通信装置１、３・制御装置５間のデータフローを示すシーケンス図である。
【００４６】
まず、制御装置５の通信部４１から最初のイベントリストが電灯線通信装置１に対して送信される（Ｓ１）。これを受信した電灯線通信装置１の通信部２１はイベントリストをイベントリスト格納部２７に格納し、イベントリストの送信先である制御装置５に応答を行う（Ｓ２）。この応答は制御装置５の通信部４１が変復調装置５５により電灯線７からデータの受信を行い、受信されたデータが受信データ格納部４２へ格納され、この受信データが解析部４４で解析されることで認識される。応答を受信した制御装置５の通信部４１は同様に残りのイベントリストを各設定先に対して送信する。ここで、電灯線通信装置１において消費電力が１０Ｗを越えるというイベントＡが発生した場合、電灯線通信装置１の監視部２６によってステータス（電源供給状態，消費電力）が送信可能なデータ形式で送信データ格納部に格納され、通信部２１により制御装置５に対してステータスとして送信される（Ｓ３）。ステータスを受信した制御装置５では、通信部４１において送信先である電灯線通信装置１に応答を行うと共に（Ｓ４）、解析部４４によってステータス内容が確認され、表示部４６へ照明装置２の異常を示す表示を依頼する。表示部４６は、表示装置５３を使用し、「電灯線通信装置１に接続された機器が故障しています！」のようなメッセージを表示することにより、ユーザに対しての通知を行うことができる。次に、消費電力が１４Ｗを越えるというイベントＢが発生した場合、電灯線通信装置１の制御部２５は照明装置２に対する電源供給を停止し、さらにステータスを制御装置５に対して送信する（Ｓ５）。このステータスを受信した制御装置５の通信部４１は、電灯線通信装置１に対してステータス受信に対する応答を送信する（Ｓ６）。
【００４７】
ここで、ステータス受信やイベントリスト送信に対する応答がない場合（例えばノイズによって正常に受信できなかった場合が考えられる）、各電灯線通信装置１、３と制御装置５は、ある回数のリトライ送信を行っても良い。
【００４８】
このような動作により、イベントリストのイベントとして各電灯線通信装置１、３に接続された機器の通常時の消費電力を定義し、アクションとしてステータス要求を定義することで接続機器の状態を制御装置５側で確認できる。例えば、通常時の消費電力が１５Ｗから２０Ｗの電灯があった場合に｛消費電力≧２０，ステータスの送信｝というイベントリストを電灯線通信装置１、３に登録しておくと、電灯の消費電力が２０Ｗを越えた場合にステータスが制御装置５へ送信され、制御装置５側でこの電灯の異常（故障）を確認することができる。
【００４９】
以上のように本実施の形態によれば、制御装置５は、電灯線７を介してデータ通信を行うための通信部４１と、通信部４１により電灯線７から受信された受信データを格納する受信データ格納部４２と、受信データ格納部４２から取り出した受信データに基づいてイベントリストと電灯線通信装置の状態とを抽出するための解析を行う解析部４４と、抽出された電灯線通信装置の状態を表示する表示部４６と、電灯線通信装置の動作を定義したイベントリストを入力するための入力部４７と、イベントリストを格納するイベントリスト格納部４８と、イベントリスト格納部４８に格納されたイベントリストから送信データを作成する作成部４５と、作成した送信データが格納される送信データ格納部４３とを有し、通信部４１は、送信データ格納部４３に格納した送信データを電灯線通信装置に送信し、特定条件の下に電灯線通信装置と電灯線通信装置に接続された接続機器との状態を取得することにより、通信部４１は特定条件の下に電灯線通信装置と電灯線通信装置に接続された接続機器との状態を取得することができるので、解析部４４は、電灯線通信装置または電灯線通信装置に接続された機器が異常な電力消費状態にある場合にこれを検出することで、電灯線通信装置または接続機器の故障検出を行うことができ、また検出した故障内容に応じて電灯線通信装置または接続機器の電源制御を行うことができる。
【００５０】
（実施の形態３）
図１は、本発明の実施の形態３による電灯線通信制御システムを示す接続図である。図１に示す電灯線通信制御システムと従来の技術の図１１に示す電灯線通信制御システムとは同様の構成であるが、本実施の形態が従来の技術と異なるところは、制御装置の機能、動作である。
【００５１】
図８は、図１の制御装置５を示すブロック図である。
【００５２】
図８において、通信部４１、受信データ格納部４２、送信データ格納部４３、解析部４４、作成部４５、表示部４６、入力部４７、イベントリスト格納部４８は図４と同様のものであり、同一符号を付し、その説明は省略する。４９は定期的に電灯線通信装置１、３を監視している監視部である。
【００５３】
図９は、図１の制御装置５を具体的に示すハードウェア構成図である。
【００５４】
図９において、ＣＰＵ（中央演算処理装置）５１、ＲＯＭ５２、表示装置５３、ＲＡＭ５４、変復調装置５５、入力装置５６は図５と同様のものなので、同一符号を付し、説明は省略する。５７は音声等で警告する警告装置（例えばブザー）である。
【００５５】
ここで、図８と図９の各構成の対応を述べる。
【００５６】
図８の通信部４１、解析部４４、作成部４５、入力部４７、監視部４９は、図９のＣＰＵ５１がＲＯＭ５２格納のプログラムを実行することにより実現される。また、図８の受信データ格納部４２、送信データ格納部４３、イベントリスト格納部４８は図９のＲＡＭ３４により実現される。また、図８の表示部４６は図９の表示装置５３により実現される。
【００５７】
このように構成された電灯線通信制御システムの制御装置５について、その動作を説明する。
【００５８】
制御装置５の監視部４９は、一定周期ごとに電灯線通信装置１、３に対するステータス要求を行い、解析部４４で電灯線通信装置１、３からの応答が確認されることで、各電灯線通信装置１、３の故障状態をチェックしている。ここで、電灯線通信装置３が故障した場合の例を説明する。
【００５９】
図１０は電灯線通信装置１、３・制御装置５間のデータフローを示すシーケンス図である。
【００６０】
まず、制御装置５の監視部４９は、電灯線通信装置１に対し、ステータス要求を送信する（Ｓ１１）。ステータス要求を受信した電灯線通信装置１の解析部２４は応答（電源供給状態，消費電力）を制御装置５へ送信する（Ｓ１２）。この応答を受信した制御装置５の通信部４１は次に、電灯線通信装置３へステータス要求の送信を行う（Ｓ１３）。故障のために応答が送信されない場合、制御装置５の監視部４９は、ｎ秒後に再度ステータス要求を行う（Ｓ１４）。数回ステータス要求の送信をリトライした後に制御装置５の監視部４９は、電灯線通信装置３が故障したものと判定し（Ｓ１５）、警告装置５７を使用してユーザへの通知（たとえばブザー音による通知）を行うとともに、表示部４６へ電灯線通信装置３の異常を示す表示を依頼する。表示部４６は、表示装置５３を使用して、「電灯線通信装置３が故障しています！」のようなメッセージを表示する。これにより、ユーザに対して電灯線通信装置の故障の通知を行うことができる。
【００６１】
なお、本実施の形態では警告装置５７として例えばブザーを使用しているが、本発明はこれに限らず、警告ランプ等を使用することも可能である。また、表示装置５３を使用してメッセージを表示させているが、表示形式をグラフィカルなものにすることも可能である。
【００６２】
以上のように本実施の形態によれば、制御装置５は、一定期間毎に電灯線通信装置の状態を監視する監視部４９を備え、監視部４９は、電灯線通信装置の状態が不明な場合に警告を行うことにより、監視部４９は、定期的に電灯線通信装置の状態をチェックし、応答できない電灯線通信装置は故障しているものと判定して警告を行うことにより故障検出を行うことができる。
【００６３】
【発明の効果】
以上説明したように本発明の請求項１に記載の制御装置によれば、電灯線を介して電灯線通信装置と通信を行う制御装置であって、電灯線通信装置にステータス要求を送信する要求部と、消費電力の情報を要求するステータス要求を受信した電灯線通信装置からの応答を受信する監視部とを備え、監視部は、電灯線通信装置からステータスの応答があり、そのステータスが示す消費電力が所定値を超える場合に、出力手段を介して所定の通知を行い、要求部は、ステータス要求を送信してから所定時間経過後、ステータスの応答がない場合に、ステータス要求の送信をリトライし、監視部は、ステータス要求の送信をリトライし所定時間経過後、ステータスの応答がない場合に、出力手段を介して所定の通知を行うことにより、消費電力が所定値を超えた場合に通知を行うことにより、電力の過剰使用による故障検出を行うとともに、電灯線通信装置の状態が不明な場合に通知を行うことにより、応答できない電灯線通信装置は故障しているものと判定して故障検出を行うことができるという有利な効果が得られる。
【図面の簡単な説明】
【図１】本発明の実施の形態１、２、３による電灯線通信制御システムを示す接続図
【図２】図１の電灯線通信装置を示すブロック図
【図３】図１の電灯線通信装置を具体的に示すハードウェア構成図
【図４】図１の制御装置を示すブロック図
【図５】図１の制御装置を具体的に示すハードウェア構成図
【図６】イベントリストの設定例を示すデータ図
【図７】図６のイベントリストが設定された場合の電灯線通信装置・制御装置間のデータフローを示すシーケンス図
【図８】図１の制御装置を示すブロック図
【図９】図１の制御装置を具体的に示すハードウェア構成図
【図１０】電灯線通信装置・制御装置間のデータフローを示すシーケンス図
【図１１】従来の電灯線通信制御システムを示す接続図
【符号の説明】
１  電灯線通信装置
２  照明装置
３  電灯線通信装置
４  テレビジョン受像機
５  制御装置
６  コンセント
７  電灯線
２１  通信部
２２  受信データ格納部
２３  送信データ格納部
２４  解析部
２５  制御部
２６  監視部
２７  イベントリスト格納部
２８  電力測定部
３１  ＣＰＵ
３２  ＲＯＭ
３３  電源制御装置
３４  ＲＡＭ
３５  変復調装置
３６  消費電力測定装置
４１  通信部
４２  受信データ格納部
４３  送信データ格納部
４４  解析部
４５  作成部
４６  表示部
４７  入力部
４８  イベントリスト格納部
４９  監視部
５１  ＣＰＵ
５２  ＲＯＭ
５３  表示装置
５４  ＲＡＭ
５５  変復調装置
５６  入力装置
５７  警告装置
【図１】
0004724951.tif 000002
【図２】
0004724951.tif 000003
【図３】
0004724951.tif 000004
【図４】
0004724951.tif 000005
【図５】
0004724951.tif 000006
【図６】
0004724951.tif 000007
【図７】
0004724951.tif 000008
【図８】
0004724951.tif 000009
【図９】
0004724951.tif 000010
【図１０】
0004724951.tif 000011
【図１１】
0004724951.tif 000012